(57)【要約】【課題】簡易な構成で、血圧値の測定精度の向上が図られる血圧計、を提供する。【解決手段】血圧計１００は、空気が供給され、上腕を圧迫するカフ１５０と、血圧値の測定結果を表示するとともに、測定途中のカフ１５０の内圧を表示する表示部２３と、表示部２３が設けられる本体ケース２１とを備える。本体ケース２１には、被験者の掌が載置されることにより本体ケース２１に対する掌の位置を保持することが可能な窪み４０が形成される。窪み４０に被験者の掌が載置された時に、表示部２３が被験者から視認されない状態に置かれる。【選択図】図１
2009219540.tif 000002
【特許請求の範囲】
【請求項１】
流体が供給され、被測定部位を圧迫するカフと、
血圧値の測定結果を表示するとともに、測定途中の前記カフの内圧を表示する表示部と、
前記表示部が設けられる筐体とを備え、
前記筐体には、被験者の掌が載置されることにより前記筐体に対する掌の位置を保持することが可能な窪みが形成され、
前記窪みに被験者の掌が載置された時に、前記表示部が被験者から視認されない状態に置かれる、血圧計。
【請求項２】
前記窪みは、前記表示部の周囲に配置され、被験者の少なくとも２本の指が別々に載置される複数の指型凹部を含む、請求項１に記載の血圧計。
【請求項３】
前記筐体の互いに離れた位置に設けられ、同時に操作されることによって前記カフへの流体の供給が開始される複数の操作部をさらに備え、
前記複数の操作部は、前記窪みに被験者の掌が載置された時に、被験者の掌によって操作される位置に配置される、請求項１または２に記載の血圧計。
【請求項４】
流体が供給され、被測定部位を圧迫するカフと、
血圧値の測定結果を表示するとともに、測定途中の前記カフの内圧を表示する表示部と、
前記表示部が設けられる筐体と、
前記筐体の互いに離れた位置に設けられ、同時に操作されることによって前記カフへの流体の供給が開始され、被験者の掌によって操作されることにより前記筐体に対する掌の位置を保持することが可能な複数の操作部とを備え、
被験者の掌によって前記複数の操作部が操作された時に、前記表示部が被験者から視認されない状態に置かれる、血圧計。
【請求項５】
前記複数の操作部の操作が中断された時に、血圧測定が停止される、請求項４に記載の血圧計。
【請求項６】
前記筐体に対する掌の位置が保持されることにより、前記表示部が被験者の掌により隠れる、請求項１から５のいずれか１項に記載の血圧計。
【請求項７】
前記筐体に対する掌の位置が保持されることにより、前記表示部が被験者の死角に配置される、請求項１から６のいずれか１項に記載の血圧計。
【請求項８】
前記カフは、被験者の上腕に装着される、請求項１から７のいずれか１項に記載の血圧計。
【発明の詳細な説明】
【技術分野】
【０００１】
この発明は、一般的には、血圧計に関し、より特定的には、測定結果などを表示する表示部が載置面に載置された状態で使用される血圧計に関する。
【背景技術】
【０００２】
従来の血圧計に関して、たとえば、特開２００１−８９１０号公報には、熟練者でなくても減圧速度を容易に調整し、かつ測定時間を短くするために減圧速度を自由に調整することを目的とした電子血圧計が開示されている（特許文献１）。特許文献１に開示された電子血圧計は、最高血圧、最低血圧等のデータを表示する表示器を有する。表示器は、設定によって、血圧計で決定したＳＹＳ（収縮期血圧）等を表示するモードと、表示しないモードとのいずれかに選択される。
【０００３】
また、特開平９−８４７７２号公報には、血圧測定中のカフ内の圧力値が、医者および看護婦等には的確に把握され、被測定者には全く認識されないように表示することを目的とした血圧測定装置が開示されている（特許文献２）。特許文献２に開示された血圧測定装置においては、圧力センサにより検出されたカフ内の圧力値が、多桁数字表示器において所定の圧力範囲に対応する表示素子が点灯されることにより表示される。
【０００４】
また、特開２００１−２９３１８号公報には、患者には不安を与えず、かつ、管理スタッフには生体情報の値が認識される患者監視装置が開示されている（特許文献３）。特許文献３に開示された患者監視装置においては、表示されない時間軸と、推定血圧値を表わす推定血圧値軸とから構成される２次元座標系の表示画面に、ハート型の記号が複数表示される。ハート型の記号が表れる位置および記号の色により、それぞれ推定血圧値および酸素飽和度を患者に気付かれることなく認識する。
【特許文献１】特開２００１−８９１０号公報
【特許文献２】特開平９−８４７７２号公報
【特許文献３】特開２００１−２９３１８号公報
【発明の開示】
【発明が解決しようとする課題】
【０００５】
一般的に、血圧計は、被測定部位に装着され、内部に空気などの流体が供給されるカフと、表示部、操作部および駆動部を備えた本体部とに分かれて構成されている。カフを被測定部位に装着した後、本体部からカフに流体を供給することによって、被測定部位の動脈を圧迫し、カフの加圧過程もしくは排気過程を通じて血圧値を測定する。この際、表示部には、血圧値の測定結果が表示されるほか、測定過程の動作状況を示す目的で、測定途中のカフの内圧が表示される。
【０００６】
血圧値を精度良く測定するには、被験者がリラックスした状態であることが必要である。しかしながら、被験者が測定途中に表示部に表示されるカフ圧の値を見て、「自分の血圧値が高いのでは」とか、「どこまでカフが締め付けるのか」などと不安や緊張を感じる場合がある。この場合、測定結果が平常状態で得られる血圧値と異なってしまい、血圧値を精度良く測定することができない。また、上述の特許文献に開示された血圧計は、ＳＹＳ等を非表示に切り替える構成や、カフ圧や推定血圧値などを表示素子もしくは記号により表示する構成を備えるが、この場合、操作手順が煩雑になったり、血圧計の構造が複雑になったりするおそれがある。
【０００７】
そこでこの発明の目的は、上記の課題を解決することであり、簡易な構成で、血圧値の測定精度の向上が図られる血圧計を提供することである。
【課題を解決するための手段】
【０００８】
この発明の１つの局面に従った血圧計は、流体が供給され、被測定部位を圧迫するカフと、血圧値の測定結果を表示するとともに、測定途中のカフの内圧を表示する表示部と、表示部が設けられる筐体とを備える。筐体には、被験者の掌が載置されることにより筐体に対する掌の位置を保持することが可能な窪みが形成される。窪みに被験者の掌が載置された時に、表示部が被験者から視認されない状態に置かれる。なお、掌とは、手首から先の手の内側の面を意味する。
【０００９】
このように構成された血圧計によれば、表示部が被験者から視認されない状態に置かれるため、被験者は、測定途中に表示されるカフの内圧値を気にすることなく、リラックスした状態で血圧測定を行なうことができる。また、筐体に対する掌の位置を保持するための誘導手段として、筐体に形成された窪みを利用するため、血圧計に複雑な機構を設ける必要がない。したがって、本発明によれば、簡易な構成で血圧値の測定精度の向上を図ることができる。
【００１０】
また好ましくは、窪みは、表示部の周囲に配置され、被験者の少なくとも２本の指が別々に載置される複数の指型凹部を含む。このように構成された血圧計によれば、少なくとも２本の指の位置を指型凹部によって規制することにより、筐体に対する掌の位置を保持することが可能である。
【００１１】
また好ましくは、血圧計は、筐体の互いに離れた位置に設けられる複数の操作部をさらに備える。複数の操作部が同時に操作されることによってカフへの流体の供給が開始される。複数の操作部は、窪みに被験者の掌が載置された時に、被験者の掌によって操作される位置に配置される。このように構成された血圧計によれば、血圧測定の開始時、被験者の掌を窪みに載置させる強制力として、複数の操作部を利用することができる。
【００１２】
この発明の別の局面に従った血圧計は、流体が供給され、被測定部位を圧迫するカフと、血圧値の測定結果を表示するとともに、測定途中のカフの内圧を表示する表示部と、表示部が設けられる筐体と、筐体の互いに離れた位置に設けられ、被験者の掌によって操作されることにより筐体に対する掌の位置を保持することが可能な複数の操作部とを備える。複数の操作部が同時に操作されることによって、カフへの流体の供給が開始される。被験者の掌によって複数の操作部が操作された時に、表示部が被験者から視認されない状態に置かれる。
【００１３】
このように構成された血圧計によれば、表示部が被験者から視認されない状態に置かれるため、被験者は、測定途中に表示されるカフの内圧値を気にすることなく、リラックスした状態で血圧測定を行なうことができる。また、筐体に対する掌の位置を保持するための誘導手段として、血圧測定を開始させるための複数の操作部を利用するため、血圧計に複雑な機構を設ける必要がない。したがって、本発明によれば、簡易な構成で血圧値の測定精度の向上を図ることができる。
【００１４】
また好ましくは、複数の操作部の操作が中断された時に、血圧測定が停止される。このように構成された血圧計によれば、被験者は、血圧値の測定結果が出るまで複数の操作部を操作し続けなければならない。このため、血圧値の測定結果が、測定途中に表示されるカフの内圧値による影響を受ける可能性を、より確実に排除することができる。
【００１５】
また好ましくは、筐体に対する掌の位置が保持されることにより、表示部が被験者の掌により隠れる。このように構成された血圧計によれば、表示部を被験者から視認されない状態に置く構成を、より確実に得ることができる。
【００１６】
また好ましくは、筐体に対する掌の位置が保持されることにより、表示部が被験者の死角に配置される。このように構成された血圧計によれば、筐体の形状や表示部を設ける位置によっては、表示部を被験者の死角に配置することができる。
【００１７】
また好ましくは、カフは、被験者の上腕に装着される。このように構成された血圧計によれば、カフを装着する腕と、筐体に対して位置が保持される掌とを左右一致させた場合、被験者の測定姿勢の変動を抑えることができる。これにより、血圧値の測定精度をさらに向上させることができる。
【発明の効果】
【００１８】
以上説明したように、この発明に従えば、簡易な構成で、血圧値の測定精度の向上が図られる血圧計を提供することができる。
【発明を実施するための最良の形態】
【００１９】
この発明の実施の形態について、図面を参照して説明する。なお、以下で参照する図面では、同一またはそれに相当する部材には、同じ番号が付されている。
【００２０】
（実施の形態１）
図１は、この発明の実施の形態１における血圧計を示す斜視図である。図１を参照して、血圧計１００は、装置本体１１０およびカフ１５０を有する。血圧計１００は、カフ１５０が被験者の上腕に装着される上腕式血圧計である。装置本体１１０とカフ１５０とは、分離して設けられており、血圧値の測定時において、装置本体１１０は机などの載置面に載置されて使用される。
【００２１】
装置本体１１０は、表示部２３、入力部１１５および本体ケース２１を有する。表示部２３には、血圧値の測定結果や脈拍数の測定結果などが、数値やグラフなどを用いて表示される。そのほか、表示部２３には、測定途中のカフ１５０の内圧（以下、カフ圧とよぶ）の変化が表示される。表示部２３としては、たとえば液晶パネルが利用される。入力部１１５には、電源ボタンや、過去の測定記録を呼び出すための記録呼び出しボタンなどの各種ボタンが設けられている。表示部２３および入力部１１５は、本体ケース２１に設けられている。
【００２２】
本体ケース２１は、装置本体１１０の外郭をなす筐体形状を有する。本体ケース２１は、主面２１ａを有する。本体ケース２１が水平面に載置された状態で、主面２１ａは、鉛直上側に面するとともに、水平面に対して斜めに延在する。
【００２３】
本実施の形態では、表示部２３が、主面２１ａに設けられている。表示部２３は、主面２１ａにおいて略矩形形状に視認される。表示部２３は、表示部２３の全周に沿って主面２１ａが帯状に延在するように配置されている。なお、表示部２３の形状は、図中に示すものに限られず、たとえば丸みを帯びた形状であってもよいし多角形状であってもよい。
【００２４】
カフ１５０は、帯状の外形を有し、被験者の上腕の周囲に巻き付けられる。カフ１５０は、空気が供給される空気袋１５１と、空気袋１５１を上腕に巻き付けて固定するための袋状カバー体１５３とを有する。空気袋１５１は、袋状カバー体１５３の内部に設けられた空間に収容されている。空気袋１５１の内部の圧力が、カフ圧である。
【００２５】
カフ１５０と装置本体１１０とは、接続管としてのエア管１４０によって接続されている。エア管１４０は可撓性のチューブからなり、一端が装置本体１１０に設けられた後述の血圧測定用エア系コンポーネント１３１（図３参照）に接続され、他端が空気袋１５１に接続されている。
【００２６】
図２は、図１中の血圧計の血圧測定時の状態を示す斜視図である。図１および図２を参照して、本体ケース２１には、窪み４０が形成されている。窪み４０は、本体ケース２１の表面から凹むように形成されている。窪み４０は、被験者の掌を載置することが可能な形状を有する。窪み４０は、開いた状態の掌を載置することが可能な形状を有する。窪み４０は、載置された掌の本体ケース２１に対する位置を保持することが可能な形状を有する。窪み４０は、表示部２３の周囲に配置されている。窪み４０は、表示部２３が設けられた主面２１ａに配置されている。
【００２７】
窪み４０のより具体的な形状について説明すると、本実施の形態では、窪み４０が、被験者の左手の親指、人差し指、中指、薬指および小指をそれぞれ載置可能な指型凹部４１，４２，４３，４４，４５から構成されている。指型凹部４１〜４５は、それぞれ表示部２３の周囲において一方向に延びる溝形状を有する。表示部２３を正面から見た場合に、指型凹部４１は、表示部２３の側方に配置されている。表示部２３を正面から見た場合に、指型凹部４２〜４５は、表示部２３の奥側に配置されており、隣接する表示部２３の周縁に沿って並んでいる。
【００２８】
なお、窪み４０は、必ずしも本体ケース２１に一体に成形されている必要はなく、窪み４０が成形された別部材が本体ケース２１に取り付けられてもよい。また、窪み４０は、指型の凹部形状に限られず、たとえば、掌の腹の部分（掌のうち指を除いた部分）を含んだ凹部形状を有してもよい。
【００２９】
図２中に示すように、窪み４０に被験者の掌が載置され、掌の本体ケース２１に対する位置が保持された状態で、表示部２３は、被験者から視認されない状態に置かれる。本実施の形態では、窪み４０に載置された掌が表示部２３を覆う位置に保持されることにより、表示部２３が被験者から視認されない状態に置かれる。窪み４０に載置された掌の腹の部分が、表示部２３を覆う位置に保持される。
【００３０】
なお、図中では、表示部２３の全体が掌により覆われているが、これに限られず、測定途中において表示されるカフ圧の値が被験者から視認されなければ、表示部２３の一部が掌から露出していてもよい。
【００３１】
装置本体１１０は、血圧測定を開始させるために操作される複数の操作部としての測定開始操作部３１，３２，３３，３４，３５を有する。測定開始操作部３１〜３５は、互いに離間して本体ケース２１に設けられている。測定開始操作部３１〜３５は、表示部２３の周囲に配置されている。測定開始操作部３１〜３５は、押圧によって操作されるメカ式スイッチから構成されている。
【００３２】
測定開始操作部３１〜３５は、窪み４０に載置された被験者の掌によって操作される位置に配置されている。本実施の形態では、測定開始操作部３１〜３５が、窪み４０に配置されている。測定開始操作部３１，３２，３３，３４，３５は、それぞれ指型凹部４１，４２，４３，４４，４５に配置されている。測定開始操作部３１〜３５は、窪み４０に載置された被験者の掌の指によって押圧される。
【００３３】
なお、測定開始操作部３１〜３５は、被験者の指以外の掌の部分によって押圧される位置に配置されてもよい。また、必ずしも全ての指型凹部に測定開始操作部が設けられる必要はなく、測定開始操作部の数が適宜変更されてもよい。
【００３４】
次に、血圧計１００の主要な機能ブロックの構成について説明する。図３は、図１中の血圧計の構成を示す機能ブロック図である。
【００３５】
図１および図３を参照して、本体ケース２１の内部には、カフ１５０に内包された空気袋１５１にエア管１４０を介して空気を供給または排出するための血圧測定用エア系コンポーネント１３１が設けられている。血圧測定用エア系コンポーネント１３１は、空気袋１５１内のカフ圧を検出する圧力検出手段である圧力センサ１３２と、空気袋１５１を膨縮させるための膨縮手段１３３であるポンプ１３４および弁１３５とを有する。装置本体１１０には、血圧測定用エア系コンポーネント１３１に関連して発振回路１２５、ポンプ駆動回路１２６および弁駆動回路１２７が設けられている。
【００３６】
装置本体１１０には、各部を集中的に制御および監視するためのＣＰＵ（Central Processing Unit）１２２と、ＣＰＵ１２２に所定の動作をさせるプログラムや測定された血圧値などの各種情報を記憶するためのメモリ部１２３と、血圧測定結果を含む各種情報を表示するための表示部２３と、測定のための各種指令を入力するために操作される入力部１１５と、ＣＰＵ１２２および各機能ブロックに電力を供給するための電源部１２４とが設けられている。ＣＰＵ１２２は、血圧値を算出するための血圧値算出手段としても機能する。
【００３７】
測定開始操作部３１〜３５は、被験者によって全ての操作部が押圧されることを条件に、血圧測定を開始する。さらに、測定開始操作部３１〜３５は、被験者によって全ての操作部が押圧されることを条件に、血圧測定を継続する。すなわち、血圧値の測定結果が出るまでに、測定開始操作部３１〜３５の少なくとも１つの押圧が解除されると、血圧測定が停止される。
【００３８】
圧力センサ１３２は、カフ圧を検出し、検出した圧力に応じた信号を発振回路１２５に出力する。ポンプ１３４は、空気袋１５１に空気を供給する。弁１３５は、空気袋１５１内の圧力を維持したり、空気袋１５１内の空気を排出したりする際に開閉する。発振回路１２５は、圧力センサ１３２の出力値に応じた発振周波数の信号をＣＰＵ１２２に出力する。ポンプ駆動回路１２６は、ポンプ１３４の駆動をＣＰＵ１２２から与えられる制御信号に基づいて制御する。弁駆動回路１２７は、弁１３５の開閉制御をＣＰＵ１２２から与えられる制御信号に基づいて行なう。
【００３９】
次に、血圧計１００における血圧測定処理の流れについて説明する。図４は、図１中の血圧計の血圧測定処理の流れを示すフローチャートである。このフローチャートに従うプログラムは、図３中に示すメモリ部１２３に予め記憶されており、ＣＰＵ１２２がメモリ部１２３からこのプログラムを読出して実行することにより、血圧測定処理が実施される。
【００４０】
図３および図４を参照して、被験者が入力部１１５の電源ボタンを操作して電源をオンにすると、血圧計１００の初期化がなされる（ステップＳ１）。次に、被験者が窪み４０に左の掌を載置し、測定開始操作部３１〜３５を押圧することにより、ＣＰＵ１２２が、ポンプ１３４の駆動を開始し、空気袋１５１のカフ圧を徐々に上昇させる（ステップＳ２）。このとき、ＣＰＵ１２２は、圧力センサ１３２により検出されたカフ圧の値をリアルタイムで表示部２３に表示する。また、カフ圧を徐々に加圧する過程において、測定開始操作部３１〜３５の押圧が解除されると、ＣＰＵ１２２は、ポンプ１３４の駆動を停止し、血圧計１００を初期状態に戻す。
【００４１】
次に、カフ圧が血圧測定のために必要な所定のレベルにまで達すると、ＣＰＵ１２２はポンプ１３４の駆動を停止し、次いで閉じていた弁１３５を徐々に開いて空気袋１５１の空気を徐々に排気し、カフ圧を徐々に減圧させる（ステップＳ３）。このカフ圧の微速減圧過程においてカフ圧の検出が行なわれる。
【００４２】
次に、ＣＰＵ１２２は公知の手順で収縮期血圧値（最高血圧値）および拡張期血圧値（最低血圧値）を算出する（ステップＳ４）。具体的には、カフ圧が徐々に減圧する過程において、ＣＰＵ１２２は発振回路１２５から得られる発振周波数に基づき脈波情報を抽出する。そして、抽出された脈波情報により血圧値を算出する。ステップＳ４において血圧値が算出されると、ＣＰＵ１２２は、算出された血圧値を表示部２３に表示する（ステップＳ５）。
【００４３】
図５は、図１中の血圧計を用いて血圧測定を行なう被験者の様子を示す図である。図５を参照して、本実施の形態における血圧計１００においては、被験者は、窪み４０に左の掌を載置し、測定開始操作部３１〜３５を押圧した状態で、血圧測定を行なう。この際、被験者は、窪み４０に載置した掌によって表示部２３を視認することができない。このため、被験者は、測定途中に表示部２３に表示されるカフ圧の値を気にすることなく、リラックスした状態で血圧測定を行なうことができる。
【００４４】
また、カフ１５０を装着する腕と、窪み４０に載置する掌とを左右一致させた場合、図中に示すように、血圧測定時の被験者の姿勢は一定に保たれる。これにより、測定中における被験者の姿勢の変動を抑えたり、測定毎に測定姿勢がばらつくことを抑制できるため、血圧値の測定精度を向上させることができる。
【００４５】
この発明の実施の形態１における血圧計１００は、流体としての空気が供給され、被測定部位としての上腕を圧迫するカフ１５０と、血圧値の測定結果を表示するとともに、測定途中のカフ１５０の内圧を表示する表示部２３と、表示部２３が設けられる筐体としての本体ケース２１とを備える。本体ケース２１には、被験者の掌が載置されることにより本体ケース２１に対する掌の位置を保持することが可能な窪み４０が形成される。窪み４０に被験者の掌が載置された時に、表示部２３が被験者から視認されない状態に置かれる。
【００４６】
このように構成された、この発明の実施の形態１における血圧計１００によれば、被験者が、測定途中のカフ圧の値を見て緊張や不安を感じるということがなくなるため、血圧値の測定精度を向上させることができる。また、本実施の形態では、本体ケース２１に形成された窪み４０や測定開始操作部３１〜３５を利用して、測定途中の表示部２３を視認できない状態とするため、血圧計１００の構成が複雑になったり、操作手順が煩雑になることを防止できる。
【００４７】
なお、本実施の形態では、測定開始操作部３１〜３５がメカ式スイッチから構成される場合を説明したが、本発明はこれに限定されない。メカ式スイッチに替えて、たとえば光電センサや静電容量センサなどのセンサ類が使用されてもよい。また、脈拍を検出する生体情報センサを使用することも可能である。この場合、カフ１５０側および装置本体１１０側で検出した脈拍が互いに整合するかを確認することにより、カフ１５０を装着する被験者が、窪み４０に掌を載置した者と同一か否かを判定することができる。
【００４８】
また、測定開始操作部３１〜３５の操作は、血圧測定を開始するための条件のみであってもよい。この場合であっても、被験者に測定方法として、測定結果が出るまで窪み４０に掌を載置し続けることを推奨することにより、同様の効果を得ることができる。
【００４９】
また、本実施の形態では、本発明を上腕式の血圧計に適用した場合を説明したが、たとえば、手首式の血圧計であっても表示部とカフとが分離して設けられるタイプであれば、本発明を適用することが可能である。
【００５０】
（実施の形態２）
本実施の形態では、図１中の血圧計１００の各種変形例について説明を行なう。以下、図１中の血圧計１００と比較して重複する構造については、説明を繰り返さない。
【００５１】
図６は、図１中の血圧計の第１変形例を示す斜視図である。図６を参照して、本変形例では、窪み４０が、被験者の左手の親指および小指をそれぞれ載置可能な指型凹部４１，４５から構成されている。装置本体１１０は、指型凹部４１および指型凹部４５にそれぞれ配置される測定開始操作部３１および測定開始操作部３５を有する。
【００５２】
本変形例に示すように、本体ケース２１に少なくとも２つの指型凹部が設けられれば、本体ケース２１に対する掌の位置が保持されるため、表示部２３が被験者から視認されない構成を得ることができる。図１および図６中に示す形態に限られず、３つ以上の指型凹部が設けられてもよいし、指型凹部を設ける指として親指および小指以外の指が選択されてもよい。
【００５３】
図７は、図１中の血圧計の第２変形例を示す斜視図である。図７を参照して、本体ケース２１は、背面２１ｃを有する。背面２１ｃは、主面２１ａと連なる。背面２１ｃは、表示部２３を正面から見て、主面２１ａの奥側に配置される。指型凹部４２〜４５は、表示部２３に隣接する位置から背面２１ｃへと向かうにように形成されている。本変形例では、測定開始操作部３２〜３５が、背面２１ｃに配置されている。測定開始操作部３２〜３５は、それぞれ、指型凹部４２〜４５の延長上に配置されている。測定開始操作部３２〜３５は、指型凹部４２〜４５にそれぞれ載置された被験者の指の先を背面２１ｃに沿うように配置することにより押圧される。
【００５４】
本変形例に示すように、全ての測定開始操作部が窪み４０に配置されていない場合であっても、測定開始操作部を窪み４０に載置された掌により操作される位置に配置することが可能である。
【００５５】
図８は、図１中の血圧計の第３変形例を示す斜視図である。図８を参照して、本変形例では、本体ケース２１に、図１中の指型凹部４１〜４５と同じ形態で、指型凹部４１ｍ，４２，４３，４４，４５が形成されている。本体ケース２１には、さらに指型凹部４１ｎが形成されている。指型凹部４１ｎは、表示部２３に対して指型凹部４１ｍの反対側に配置されている。窪み４０に左の掌が載置された場合に、指型凹部４１ｍに左の掌の親指が載置され、窪み４０に右の掌が載置された場合に、指型凹部４１ｎに右の掌の親指が載置される。窪み４０に右左いずれの掌が載置された場合であっても、その掌によって、表示部２３が被験者から視認されない状態に置かれる。
【００５６】
装置本体１１０は、指型凹部４１ｍおよび指型凹部４１ｎにそれぞれ配置される測定開始操作部３１ｍおよび測定開始操作部３１ｎを有する。本変形例では、窪み４０に左右いずれの掌が載置された場合にも測定が可能なように、測定開始操作部３２〜３５と、測定開始操作部３１ｍおよび測定開始操作部３１ｎのいずれか一方とが、押圧されていることを条件に、血圧測定が開始される。また、必要に応じて、測定開始操作部３１ｍおよび測定開始操作部３１ｎのいずれが押圧されたかを判定することにより、窪み４０に載置された掌が左右いずれであるかを判定することもできる。
【００５７】
図９は、図１中の血圧計の第４変形例を示す斜視図である。図９を参照して、本変形例では、本体ケース２１に測定開始操作部３１〜３５が設けられておらず、窪み４０のみが形成されている。図１中の測定開始操作部３１〜３５に替えて、本体ケース２１には、入力部１１５として測定開始時に押圧されるボタン１１６が設けられている。
【００５８】
本変形例では、被験者の掌を窪み４０に積極的に誘導する測定開始操作部３１〜３５が設けられていない。このような構成であっても、被験者に測定方法として窪み４０に掌を載置することを推奨することにより、測定途中、表示部２３を被験者から視認されない状態に置くことができる。
【００５９】
図１０は、図１中の血圧計の第５変形例を示す斜視図である。図１０を参照して、本変形例では、装置本体１１０が、図１中の本体ケース２１に替えて本体ケース５１を有する。本体ケース５１は、円柱形状を有する。本体ケース５１は、表示部２３が設けられる外周面５１ａを有する。本体ケース５１には、被験者の左手の人差し指、中指、薬指および小指をそれぞれ載置可能な指型凹部４２〜４５が、外周面５１ａから凹むようにして形成されている。被験者が、掌を指型凹部４２〜４５に載置し、本体ケース５１を把持することにより、表示部２３が被験者から視認されない状態に置かれる。
【００６０】
本変形例に示すように、測定途中に表示部２３が視認されない状態に置かれれば、本体ケース５１の形状および表示部２３の配置箇所は、どのような形態であってもよい。
【００６１】
このように構成された、この発明の実施の形態２における血圧計によれば、実施の形態１に記載の効果を同様に得ることができる。
【００６２】
（実施の形態３）
図１１は、この発明の実施の形態３における血圧計を示す斜視図である。本実施の形態における血圧計は、実施の形態１における血圧計１００と比較して、基本的には同様の構造を備える。以下、重複する構造については、その説明を繰り返さない。
【００６３】
図１１を参照して、本実施の形態では、本体ケース２１に窪み４０が形成されておらず、測定開始操作部３１〜３５のみが設けられている。このような構成においても、測定開始操作部３１〜３５が被験者の掌によって同時に押圧することが可能な位置に配置されていれば、被験者の掌を自然と表示部２３を覆う位置に導くことができる。
【００６４】
この発明の実施の形態３における血圧計は、流体としての空気が供給され、被測定部位としての上腕を圧迫するカフ１５０と、血圧値の測定結果を表示するとともに、測定途中のカフ１５０の内圧を表示する表示部２３と、表示部２３が設けられる筐体としての本体ケース２１と、本体ケース２１の互いに離れた位置に設けられ、被験者の掌によって操作されることにより本体ケース２１に対する掌の位置を保持することが可能な複数の操作部としての測定開始操作部３１〜３５とを備える。測定開始操作部３１〜３５が同時に操作されることによって、カフ１５０への空気の供給が開始される。被験者の掌によって測定開始操作部３１〜３５が操作された時に、表示部２３が被験者から視認されない状態に置かれる。
【００６５】
このように構成された、この発明の実施の形態３における血圧計によれば、実施の形態１に記載の効果を同様に得ることができる。
【００６６】
なお、図１１中に示す血圧計に、実施の形態１および２で説明した血圧計の構造や変形例の構造を組み合わせて、新たな血圧計を構成してもよい。
【００６７】
（実施の形態４）
図１２は、この発明の実施の形態４における血圧計の血圧測定時の状態を示す図である。本実施の形態における血圧計は、実施の形態１における血圧計１００と比較して、基本的には同様の構成を備える。以下、重複する構造については、その説明を繰り返さない。
【００６８】
図１２を参照して、本実施の形態では、装置本体１１０が本体ケース６１を有する。本体ケース６１は、主面６１ａおよび背面６１ｃを有する。主面６１ａには、表示部２３が設けられている。背面６１ｃは、表示部２３を正面から見た場合に主面６１ａの奥側に配置される。被験者が表示部２３を正面から見た場合に、背面６１ｃは、被験者がいる側とは反対側に面している。背面６１ｃには、実施の形態１〜３において説明した被験者の掌を背面６１ｃへと導くための窪み４０もしくは測定開始操作部３１〜３５が設けられている。
【００６９】
本実施の形態では、被験者が、窪み４０に掌を載置し、もしくは測定開始操作部３１〜３５を押圧した状態で、表示部２３が被験者の死角に配置される。
【００７０】
このように構成された、この発明の実施の形態４における血圧計によれば、実施の形態１に記載の効果を同様に得ることができる。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７２】
【図１】この発明の実施の形態１における血圧計を示す斜視図である。
【図２】図１中の血圧計の血圧測定時の状態を示す斜視図である。
【図３】図１中の血圧計の構成を示す機能ブロック図である。
【図４】図１中の血圧計の血圧測定処理の流れを示すフローチャートである。
【図５】図１中の血圧計を用いて血圧測定を行なう被験者の様子を示す図である。
【図６】図１中の血圧計の第１変形例を示す斜視図である。
【図７】図１中の血圧計の第２変形例を示す斜視図である。
【図８】図１中の血圧計の第３変形例を示す斜視図である。
【図９】図１中の血圧計の第４変形例を示す斜視図である。
【図１０】図１中の血圧計の第５変形例を示す斜視図である。
【図１１】この発明の実施の形態３における血圧計を示す斜視図である。
【図１２】この発明の実施の形態４における血圧計の血圧測定時の状態を示す図である。
【符号の説明】
【００７３】
２１，５１，６１  本体ケース、２３  表示部、３１〜３５，３１ｍ，３１ｎ  測定開始操作部、４０  窪み、４１〜４５，４１ｍ，４１ｎ  指型凹部、１００  血圧計、１５０  カフ。
【図１】
2009219540.tif 000003
【図２】
2009219540.tif 000004
【図３】
2009219540.tif 000005
【図４】
2009219540.tif 000006
【図５】
2009219540.tif 000007
【図６】
2009219540.tif 000008
【図７】
2009219540.tif 000009
【図８】
2009219540.tif 000010
【図９】
2009219540.tif 000011
【図１０】
2009219540.tif 000012
【図１１】
2009219540.tif 000013
【図１２】
2009219540.tif 000014